(57)【要約】【課題】既存の第１の規格に対応する記録用ディスクに、第１の規格よりフォーマット効率の高い第２の規格のデータフォーマットを採用して記録する場合、第１及び第２の規格のいずれの記録形態のデータにも対応させることを課題とする。【解決手段】既存の第１の規格に対応する記録用ディスクに、第２記録系信号処理回路１１により生成される記録データを記録する高効率記録を行うようにし、この場合、第２記録系信号処理回路１１により生成される記録データを選択的に第１及び第２の規格の一方に基づいた記録形態により第１記録用ディスクに記録するようにしている。これにより第１及び第２の規格のいずれに対応する記録形態のデータに対しても高効率記録を可能としている。【選択図】　　図１
2004139708.tif 000002
【特許請求の範囲】
【請求項１】
既存の第１の規格に規定された記録用ディスクフォーマットに対応するディスクに前記第１の規格よりデータフォーマットの効率が高い第２の規格に準拠するデータフォーマットの記録データを記録する光ディスク装置において、前記第１の規格のデータフォーマットに対応する記録データを生成するべく入力データを信号処理する第１記録系信号処理回路と、前記第２の規格のデータフォーマットに対応する記録データを生成するべく入力データを信号処理する第２記録系信号処理回路とを備え、第１の規格に対応する第１記録用ディスクへの記録時に、前記第１及び第２記録系信号処理回路の一方を選択的に使用可能とし、前記第２記録系信号処理回路により生成される記録データを第１記録用ディスクに記録する場合に、第２記録系信号処理回路により生成される記録データを選択的に第１及び第２の規格の一方に則った記録形態に基づかせて第１記録用ディスクに記録するべくホスト機器による制御処理形態を切り換えるようにしたことを特徴とする光ディスク装置。
【請求項２】
ホスト機器にはディスク記録に係わる制御処理形態を第１の規格に規定されたデータフォーマットに則って実行する第１規格系記録機能と、第２の規格に規定されたデータフォーマットに則って実行する第２規格系記録機能とが組み込まれ、これら第１及び第２規格系記録機能とを選択的に作動させてホスト機器によりディスクに記録されるデータを選択的に第１及び第２の規格のデータフォーマットに則った記録形態に指定する光ディスク装置であって、前記第２記録系信号処理回路により生成される記録データを第１記録用ディスクに記録する場合に、ホスト機器の前記第１及び第２規格系記録機能の一方を選択的に作動させ、第２記録系信号処理回路により生成される記録データを選択的に第１及び第２の規格の一方に則った記録形態に基づかせて第１記録用ディスクに記録するようにしたことを特徴とする請求項１記載の光ディスク装置。
【請求項３】
前記第１記録用ディスクに記録される記録データの記録形態が第１及び第２の規格のいずれに基づくものかを示す記録形態指定データをディスクの特定領域に記録したことを特徴とする請求項１及び請求項２記載の光ディスク装置。
【請求項４】
第１の規格の記録用ディスクフォーマットにはリードインエリアが規定されており、このリードインエリアに前記記録形態指定データを記録することを特徴とする請求項３記載の光ディスク装置。
【請求項５】
第１の規格に規定された記録用ディスクフォーマットに対応するディスクに前記第１の規格よりデータフォーマットの効率が高い第２の規格に準拠するデータフォーマットの記録データを記録した高効率記録モードのディスクを再生すると共に、この高効率記録モードのディスクであることを判別するディスク判別機能を有し、かつ、ホスト機器により選択的に第１及び第２の規格に基づく記録形態に対応した再生動作が行われる光ディスク装置であって、前記第１の規格に準拠するデータフォーマットに対応する記録データをデコードするべくディスクを読み取った読み取りデータを信号処理する第１再生系信号処理回路と、前記第２の規格に準拠するデータフォーマットに対応する記録データをデコードするべくディスクを読み取った読み取りデータを信号処理する第２再生系信号処理回路と、高効率記録モードにより記録されたディスクであると判別されたときに記録データの記録形態を判定する記録形態判定手段とを備え、第１の規格に対応のディスクから読み取った読み取りデータが第１の規格及び第２の規格のいずれに準拠するデータフォーマットに対応するかを判断すると共に、この判断により第１の規格に準拠するデータフォーマットに対応することが判別されたときには読み取りデータを前記第１再生系信号処理回路に供給し、第２の規格に準拠するデータフォーマットに対応することが判別されたときには読み取りデータを前記第２再生系信号処理回路に供給し、かつ、前記ホスト機器には、第１の規格に基づく記録形態で高効率記録モードによりディスクに記録された記録データをその記録形態に対応した再生処理を行わせる第１規格系再生機能と、第２の規格に基づく記録形態で高効率記録モードによりディスクに記録された記録データをその記録形態に対応した再生処理を行わせる第２規格系再生機能とが組み込まれており、第２の規格に準拠するデータフォーマットに対応することが判別されたときには前記記録形態判定手段により判定される記録データの記録形態に応じてホスト機器に組み込まれた第１及び第２規格系再生機能のいずれかを選択的に作動させることを特徴とする光ディスク装置。
【発明の詳細な説明】
【０００１】
【発明の属する技術分野】
本発明は、既存の規格のディスクフォーマットに対応のディスクにその規格よりデータフォーマットの効率が高い規格に準拠するデータフォーマットにより高効率にディスクに記録データを記録可能にした光ディスク装置、及び高効率に記録されたディスクを再生する光ディスク装置に関し、特に、ＣＤ規格に対応する記録用ディスクにＤＶＤ規格に準拠するデータフォーマットに生成された記録データを記録するのに好適な光ディスク装置に関する。
【０００２】
【従来の技術】
光学ヘッドを用いて光学的に記録・再生を行う光ディスクの規格としては、ＣＤ（Ｃｏｍｐａｃｔ　Ｄｉｓｃ）規格と、ＣＤと同一ディスク径として機構的な互換性を確保した上で更なる大容量のニーズに応えたＤＶＤ（Ｄｉｇｉｔａｌ　Ｖｅｒｓａｔｉｌｅ　Ｄｉｓｃ）規格が知られている。
【０００３】
このＤＶＤに対応するＤＶＤドライブにおいてはＣＤとの上位互換が確保されており、ＣＤの再生が可能となっている。
【０００４】
ところで、記録可能な光ディスクはＣＤ及びＤＶＤの両方式に存在し、ＣＤの記録方式はＣＤ−Ｒ（Ｒｅｃｏｒｄａｂｌｅ）及びＣＤ−ＲＷ（ＲｅＷｒｉｔａｂｌｅ）に統一されているが、ＤＶＤの記録方式は現在のところ種々の規格が乱立し、デファクトスタンダードが確立されていない状況にある。
【０００５】
ディスクに記録可能な記憶容量に関しては、ＣＤに比べてＤＶＤの方が圧倒的に大容量であり、パソコンで扱うファイルのデータ量が増大してきている状況において、ＣＤ−Ｒ及びＣＤ−ＲＷディスクの記憶容量が標準で６５０ＭＢ（メガバイト）と７００ＭＢであることからこの記憶容量では十分でない状況になってきている。
【０００６】
しかしながら、ＣＤ規格の記録方式は先に述べたように統一されており、ＣＤ−Ｒ／ＲＷドライブが普及されているので、ＣＤ−Ｒ及びＣＤ−ＲＷ用の記録系信号処理回路のＬＳＩが安価で出回っていると共に、ＣＤ−Ｒ及びＣＤ−ＲＷ用のディスクが市場に安価で出回っている。
【０００７】
そこで、ＣＤ規格のデータフォーマット、すなわち、ＣＤの変調コード（ＥＦＭ）及び誤り訂正符号（ＥＣＣ）を採用しながら、ディスクに記録するピット及びランドよりなる記録マークの長さを短縮し、規格による線密度よりも高密度化してディスクの記録容量の高容量化を図ることが提案されている（例えば、特許文献１参照。）。
【０００８】
【特許文献１】
特開２０００−２５０６４号公報
【０００９】
【発明が解決しようとする課題】
前述のように既存の規格のデータフォーマットを採用して記録容量の拡大を図ると、市場で出回っている安価な記録系信号処理回路のＬＳＩを使用できると共に、設計が容易であり、また、既存のＣＤ−Ｒ及びＣＤ−ＲＷ用ディスクを使用することが可能である。
【００１０】
しかしながら、フォーマット効率がデータフォーマットにより固定されるので、フォーマット効率を向上させてディスクに高効率記録することが出来ず、ディスクの記録再生に前記規格に適合する波長のレーザービームを用いる場合、ディスク上のレーザースポット径の関係から記録マークの長さを大幅に短縮することが出来ず、十分な高密度化が行えない問題があった。
【００１１】
その為、更にフォーマット効率を向上させてディスクに高効率記録させることが考えられるが、この場合、規格によるデータフォーマットの相違点から不具合が生じる。
【００１２】
すなわち、相違する２種類の規格のデータフォーマットに対応する記録データを一方の規格に規定の記録用ディスクに記録可能とした場合、ディスク判別によりディスクの種別が検出されると、そのディスクの種類を示す識別データがホスト機器に通知され、この通知に応じてホスト機器の動作処理及びホスト機器によるディスク装置の動作制御が行われるようになり、記録用ディスクとは相違する規格のデータフォーマットに対応する記録データの記録形態によってはディスク装置による正しい再生が行えなかったり、ディスク装置により正しい再生が行えてもその再生されたデータがホスト機器によって正しく再生処理出来ない場合が発生した。
【００１３】
例えば、記録用ＣＤにＤＶＤ規格のデータフォーマットに則って高効率記録した場合、記録用ＣＤにはＣＤ−ＤＡ規格やビデオＣＤ規格のデータであるＣＤ用コンテンツと、ＤＶＤビデオ規格やＤＶＤオーディオ規格のデータであるＤＶＤ用コンテンツの両方に対応させることが可能であるが、ディスク装置にセットされるディスクが記録用ＣＤであることからディスク装置はＣＤ系メディアとしてホスト機器であるパソコンに識別データを通知することになる。
【００１４】
この通知を受けてパソコンは、記録系においてはＣＤ用ドライバソフトウェアのみ利用可能な状態になり、再生系においてはＣＤ用コンテンツのソフトウェアが使用される状態になる。
【００１５】
したがって、このままでは記録用ＣＤにＤＶＤ用コンテンツに対応するデータを高効率記録することが出来ないと共に、記録用ＣＤにＤＶＤ用コンテンツに対応する記録形態のデータを高効率記録することが出来るようになっても記録用ＣＤに高効率記録したＤＶＤ用コンテンツに対応するデータを正しく再生することが出来ないことになる。
【００１６】
本発明は、上述の問題点に鑑み、所定の第１の規格のディスクフォーマットに対応する記録用ディスクに、前記規格よりフォーマット効率の高い第２の規格のデータフォーマットに則って第１及び第２の規格のいずれに対応する記録形態データに対しても高効率記録が行えるようにすると共に、高効率記録されたディスクに記録されたデータが第１及び第２の規格のいずれに対応する記録形態データであってもホスト機器が正しく再生処理を行えるようにした光ディスク装置を提供することを目的とする。
【００１７】
【課題を解決するための手段】
本発明は、既存の第１の規格に準拠するデータフォーマットに対応する記録データを生成するべく入力データを信号処理する第１記録系信号処理回路と、前記第１の規格よりデータフォーマットのフォーマット効率の高い第２の規格に準拠するデータフォーマットに対応する記録データを生成するべく入力データを信号処理する第２記録系信号処理回路とを備え、第１の規格に対応する第１記録用ディスクへの記録時に、前記第１及び第２記録系信号処理回路の一方を選択的に使用可能とし、前記第２記録系信号処理回路により生成される記録データを第１記録用ディスクに記録する場合に、第２記録系信号処理回路により生成される記録データを選択的に第１及び第２の規格の一方に則った記録形態に基づかせて第１記録用ディスクに記録するべくホスト機器による制御処理形態を切り換えるようにしている。
【００１８】
この場合、ディスク記録に係わる制御処理形態を第１の規格に規定されたデータフォーマットに則って実行するホスト機器の第１規格系記録機能と、第２の規格に規定されたデータフォーマットに則って実行するホスト機器の第２規格系記録機能との一方を選択的に作動させ、第２記録系信号処理回路により生成される記録データを選択的に第１及び第２の規格の一方に則った記録形態に基づかせて第１記録用ディスクに記録するようにしている。
【００１９】
また、第１記録用ディスクに、第２の規格のデータフォーマットに則って高効率記録した場合に、第１及び第２の規格のいずれに基づく記録形態かを示す記録形態指定データを特定領域に記録し、高効率記録したディスクのデータが第１の規格の記録形態に基づくデータか第２の規格の記録形態に基づくデータかが識別されるようにしている。
【００２０】
また、本発明は、第１の規格に準拠するデータフォーマットに対応する記録データをデコードするべくディスクを読み取った読み取りデータを信号処理する第１再生系信号処理回路と、第２の規格に準拠するデータフォーマットに対応する記録データをデコードするべくディスクを読み取った読み取りデータを信号処理する第２再生系信号処理回路と、高効率モードで記録されたディスクであると判別されたときに記録データの記録形態を判定する記録形態判定手段とを備え、第１の規格に対応のディスクから読み取った読み取りデータが第１の規格及び第２の規格のいずれに準拠するデータフォーマットに対応するかを判断すると共に、この判断により第１の規格に準拠するデータフォーマットに対応することが判別されたときには読み取りデータを前記第１再生系信号処理回路に供給し、第２の規格に準拠するデータフォーマットに対応することが判別されたときには読み取りデータを前記第２再生系信号処理回路に供給し、かつ、前記ホスト機器には、第１の規格に基づく記録形態で高効率記録モードによりディスクに記録された記録データをその記録形態に対応した再生処理を行わせる第１規格系再生機能と、第２の規格に基づく記録形態で高効率記録モードによりディスクに記録された記録データをその記録形態に対応した再生処理を行わせる第２規格系再生機能とが組み込まれており、第２の規格に準拠するデータフォーマットに対応することが判別されたときには前記記録形態判定手段により判定される記録データの記録形態に応じてホスト機器に組み込まれた第１及び第２規格系再生機能のいずれかを選択的に作動させるようにしている。これにより高効率記録モードによりディスクに記録されたデータが第１及び第２の規格のいずれに対応する記録形態であってもホスト機器により正しく再生処理可能となる。
【００２１】
【実施例】
図１は本発明に係る光ディスク装置の一実施例を示す回路ブロック図である。図１の光ディスク装置はＣＤの記録再生及びＤＶＤの再生が行えると共に、ＤＶＤ規格に準拠したデータフォーマットに対応させた記録信号処理及び再生信号処理が行える新機軸の光ディスクドライブである。
【００２２】
図１において、１はディスクの信号トラックをトレースするレーザービームを出射し、ディスクに対してデータ信号の書き込み及び読み取りを行う光学ヘッドである。この光学ヘッド１は、ＣＤの記録再生に用いる７８０ｎｍの波長のレーザービームを発光する第１レーザーダイオード１ａと、ＤＶＤの再生に用いる６５０ｎｍの波長のレーザービームを発光する第２レーザーダイオード１ｂとを光源として備え、各レーザーダイオード１ａ，１ｂからそれぞれ発光されるレーザービームを２焦点の対物レンズ（図示せず）を介してＣＤ及びＤＶＤの各ディスクに照射する構成となっている。
【００２３】
２は光学ヘッド１から発生される各種受光出力を用いてディスクから読み取られるデータ信号のＲＦ信号（ラジオ周波信号）を生成し、そのＲＦ信号を最適レベルにゲインコントロールすると共に、各ディスクに応じてイコライジングして２値データ化し、かつ、光学ヘッド１からディスクに照射されるレーザービームのディスク信号面とのフォーカスずれを示すフォーカスエラー信号、及び前記レーザービームのディスクの信号トラックとのトラッキングずれを示すトラッキングエラー信号を生成するフロントエンド処理回路である。
【００２４】
３は前記フォーカスエラー信号に応じてメインビームをディスクの信号面に合焦させるフォーカス制御、及び前記トラッキングエラー信号に応じてメインビームをディスクの信号トラックに追従させるトラッキング制御を行うと共に、光学ヘッド１自体をディスクの径方向に送るスレッド送り制御を行うヘッドサーボ回路である。
【００２５】
４はフロントエンド処理回路２によりＣＤ方式の記録用ディスク（ＣＤ−Ｒ，ＣＤ−ＲＷ）のプリグルーブ（Ｐｒｅ−ｇｒｏｏｖｅ）から抽出されるウォブル（ｗｏｂｂｌｅ）信号から時間情報アドレスのＡＴＩＰ（Ａｂｓｏｌｕｔｅ　Ｔｉｍｅ　Ｉｎ　Ｐｒｅ−ｇｒｏｏｖｅ）アドレスを復調するＡＴＩＰデコーダである。
【００２６】
５はフロントエンド処理回路２から出力されるディスクの読み取りデータをＣＤ規格で規定されたデータフォーマットに対応してデコード処理を行うＣＤ用デコーダである。ＣＤ規格は変調コードとしてＥＦＭ（Ｅｉｇｈｔ　ｔｏ　Ｆｏｕｒｔｅｅｎ　Ｍｏｄｕｌａｔｉｏｎ）を採用し、誤り訂正符号としてＣＩＲＣ（Ｃｒｏｓｓ　Ｉｎｔｅｒｌｅａｖｅｄ　Ｒｅｅｄ−Ｓｏｌｏｍｏｎ　Ｃｏｄｅ）を採用しているので、前記ＣＤ用デコーダ５はこれらの変調コード及び誤り訂正符号に基づくデコード処理を行う。
【００２７】
６はフロントエンド処理回路２から出力されるディスクの読み取りデータをＤＶＤ規格のデータフォーマットに対応してデコード処理するＤＶＤ用デコーダである。ＤＶＤ規格は変調コードとしてＥＦＭ−Ｐｌｕｓ（８−１６）を採用し、誤り訂正符号としてＲＳ（Ｒｅｅｄ−Ｓｏｌｏｍｏｎ）　Ｐｒｏｄｕｃｔ−Ｃｏｄｅを採用しているので、前記ＤＶＤ用デコーダ６はこれらの変調コード及び誤り訂正符号に基づくデコード処理を行う。
【００２８】
７は接続端子８を介して接続されるパソコン等のホスト機器９とのデータの受け渡しを制御するインタフェースである。
【００２９】
１０はインタフェース７を介して入力される入力データをＣＤ規格のデータフォーマットに基づくエンコード処理を行い、そのデータフォーマットに則ったデータ構造のＣＤデータを生成するＣＤ用エンコーダである。
【００３０】
１１はインタフェース７を介して入力される入力データをＤＶＤ規格のデータフォーマットに基づくエンコード処理を行い、そのデータフォーマットに則ったデータ構造のＤＶＤデータを生成するＤＶＤ用エンコーダである。
【００３１】
１２はインタフェース７により入力される入力データを一時記憶し、ＣＤ用エンコーダ１０及びＤＶＤ用エンコーダ１１によってエンコード処理する際に使用されると共に、ＣＤ用デコーダ５及びＤＶＤ用デコーダ６によってデコード処理する際に使用され、かつ、デコード処理された後の再生データが蓄えられるＲＡＭ、１３は該ＲＡＭ１２の書き込み及び読み出しを制御するメモリコントローラ、１４ディスクの記録及び再生に係るシステム全般の制御を行うシステム制御マイコンである。
【００３２】
１５はＣＤ−Ｒ及びＣＤ−ＲＷの各ディスクの記録特性を考慮してディスクに最適な記録が行われるように光学ヘッド１の発光出力を制御するライトストラテジ回路、１６はＣＤ及びＤＶＤの再生時においてフロントエンド処理回路２に含まれるＡＰＣ（Ａｕｔｏｍａｔｉｃ　Ｐｏｗｅｒ　Ｃｏｎｔｒｏｌ）回路（図示せず）に応じて第１レーザーダイオード１ａ及び第２レーザーダイオード１ｂを駆動すると共に、記録時においてライトストラテジ回路１５から発生されるパルス信号に応じて光学ヘッド１の第１レーザーダイオード１ａを駆動するレーザー駆動回路である。
【００３３】
１７はディスクを回転駆動するスピンドルモータ、１８は該スピンドルモータ１７を駆動するモータ駆動回路、１９は該モータ駆動回路１８を制御するモータ制御回路である。該モータ制御回路１９は、ディスクに記録されたデータ信号から抽出される同期信号及びビットクロックを用いて、あるいはＡＴＩＰデコーダ４により復調されるＡＴＩＰ信号と同期をとって線速度一定方式で回転制御することが出来ると共に、スピンドルモータ１７の回転に応じて発生するパルス信号を用いて角速度一定方式で回転制御可能となっている。
【００３４】
このように構成される図１の光ディスク装置は、ＣＤ及びＤＶＤの再生が可能であると共に、ＣＤ−Ｒ及びＣＤ−ＲＷの各ディスクにＣＤ規格に準拠する標準記録モードの記録が可能であり、かつ、ＣＤ−Ｒ及びＣＤ−ＲＷの各ディスクにＤＶＤのデータフォーマットに対応したデータを記録する高効率記録モードの記録が行えるようになっている。
【００３５】
尚、記録用ＤＶＤディスクを用いた純粋なＤＶＤ記録に対応させていないが、この純粋なＤＶＤ記録に対応させた光ディスク装置とすることも当然可能である。
【００３６】
まず最初に、ＣＤ−Ｒ／ＲＷのディスクフォーマットについて説明する。
【００３７】
ＣＤ−Ｒ／ＲＷディスクは、図２に示す如く、ディスクの内周側からＰＣＡ（Ｐｏｗｅｒ　Ｃａｌｉｂｒａｔｉｏｎ　Ａｒｅａ），ＰＭＡ（Ｐｒｏｇｒａｍ　Ｍｅｍｏｒｙ　Ａｒｅａ），リードインエリア，プリギャップエリア，プログラムエリア及びリードアウトエリアが形成される。
【００３８】
ＰＣＡは試し書きを行うテストエリアと試し書きが行われた回数を記憶するカウンタエリアとを備え、ＰＭＡはディスクに記録中のデータやトラックのディスク情報をセッションをクローズするまでの一時的な期間格納する領域として使用し、リードインエリアにはセッションのクローズ時にＴＯＣ（Ｔａｂｌｅ　Ｏｆ　Ｃｏｎｔｅｎｔｓ）としてＰＭＡに格納されているディスク情報が記録される。
【００３９】
ところで、高効率記録モードの場合、ＣＤ−Ｒ／ＲＷのディスクフォーマットと相違する特別のディスクフォーマットが採用される。
【００４０】
この高効率記録モードのディスクフォーマットは、図３に示す如く、ディスクの内周側から順にＰＣＡ，フォーマットエリア，ＰＭＡ（含むＴＯＣエリア）　，プログラムエリア及びリードアウトエリアが形成される。
【００４１】
このディスクフォーマットにおいては、通常（標準記録モード）のＣＤ−Ｒ／ＲＷのディスクフォーマットをカッコ内に示し対比させると、ＰＣＡがそのままＰＣＡで、フォーマットエリアがＰＭＡ，ＰＭＡ　（含むＴＯＣエリア）がリードインエリアにそれぞれ設けられている。
【００４２】
この高効率記録モードのディスクフォーマットの場合、ＣＤ−Ｒ／ＲＷのディスクフォーマットのリードインエリアがＴＯＣエリアを含むＰＭＡとして使用され、このＰＭＡにＣＤにおけるＴＯＣデータとしての役割も担うＰＭＡデータ（ＰＭＤ）をメインチャンネルに記録し、このＰＭＡデータがディスク記録のクローズ後にＴＯＣデータに相当するデータ（ＰＭＤ）として使用される。（この場合、ＰＭＡデータのリードインが先頭に形成される。）
前記フォーマットエリアは高効率記録モードによる記録を行わせるべくディスクフォーマットされた際にこの高効率記録モードに専用のフォーマットコマンドによってＰＭＡに無関係な特定データが全域に渡ってパディングされ、この特定データは例えば全て「０」によって構成されたり、あるいは製造者識別コード、モデル番号、シリアル番号及び高効率記録モードのディスクフォーマットを示すコード等のデバイス情報データによって構成される。
【００４３】
次に、図１に示す光ディスク装置の使用ディスクの判定方法について図４に示すフローチャートを用いて説明する。
【００４４】
ディスクが装着されると、まず光学ヘッド１の第１レーザーダイオード１ａがレーザー駆動回路１４によりディスクからの反射光量レベルに応じて再生状態とするべく駆動され、ディスクのＡＴＩＰ信号の検出が行われて記録用ディスクか再生専用ディスクかの判別がディスク判定手段２０により行われる（ステップａ）。この場合、ＡＴＩＰ信号が検出されないと、再生専用ディスクと判定する（ステップｂ）。
【００４５】
尚、再生専用ディスクと判定された場合、更にＣＤかＤＶＤかの判別が行われる。
【００４６】
ステップａの処理によりＡＴＩＰ信号が検出されると、ディスク判定手段２０は記録用ディスク、すなわちＣＤ−ＲあるいはＣＤ−ＲＷであると判定し、この判定が行われた際には記録用ＣＤのディスクフォーマット上のＰＭＡ領域をアクセスし、この領域の信号検出を行う（ステップｃ）。
【００４７】
そして、ＰＭＡ領域にデータが存在するか否かが判断され（ステップｄ）、この判断でデータが存在しないと判断された場合、未記録ディスクとディスク判定手段２０により判定される（ステップｅ）。
【００４８】
一方、ＰＭＡ領域にデータが存在すると判断されると、次に、ＰＭＡ領域が全域に渡ってデータが記録されているデータ満杯状態か否かが判断される（ステップｆ）。
【００４９】
データ満杯状態でないと判断されると、標準記録モードによる記録が行われたディスクとディスク判定手段２０により判定される（ステップｇ）。
【００５０】
データ満杯状態と判断され場合は、更に標準記録モードによるＰＭＡに則った復調を試みてデータ判読の可否を判断する（ステップｈ）。
【００５１】
標準記録モードによるＰＭＡの領域がデータ満杯状態と判断された場合、ＰＭＡに則った復調を試みてデータの判読が可能か否かを判断し、データの判読が不可でＰＭＡに無関係なデータと判断された場合にディスク判定手段２０により高効率記録モードによる記録が行われたディスクと判定され（ステップｉ）、一方、データの判読が可能でＰＭＡに関係するデータと判断された場合にディスク判定手段２０により標準記録モードによる記録が行われたディスクと判定される（ステップｇ）。
【００５２】
これにより装着されたディスクが高効率記録モードによる記録が行われたディスクと判定された場合、及び未記録ディスクと判定された場合、このディスク判定の信号がインタフェース７を介して導出され、ホスト機器９側のインタフェース３０を介してホスト機器９に通知され、ホスト機器９により高効率記録モードによる記録が可能と判断される。
【００５３】
一方、装着されたディスクが標準記録モードによる記録が行われたディスクと判定された場合、及び未記録ディスクと判定された場合、このディスク判定の信号がホスト機器９に通知され、ホスト機器９により標準記録モードによる記録が可能と判断される。
【００５４】
次に、標準記録モードによる記録について説明する。
【００５５】
図４のフローチャートに示す処理により標準記録モードによる記録が可能と判断された場合、ホスト機器９により標準記録モードによる記録を行う設定が可能となり、この場合、ホスト機器９を設定することにより記録系選択手段３１によりＣＤ系記録機能３２が実行される状態となる。
【００５６】
その為、ホスト機器９は光ディスク装置を制御する制御コマンドの発生やコマンド動作手順をＣＤ規格に則って行うようになる。
【００５７】
また、ホスト機器９から光ディスク装置へは記録セッション、トラックのモードや配置構造がＣＤ規格に則って指定されるようになる。
【００５８】
ホスト機器９から記録コマンドが送信され、光ディスク装置に標準記録モードによるディスクへの記録が要求されると、その要求に応じて記録用ＣＤのディスクフォーマットに対応してディスク記録を実行する体制が整えられるべく、システム制御マイコン１４により各回路が通常記録モードのディスク記録を行う状態に切り替えられ、ＣＤ用エンコーダ１０を使用する記録信号処理系が選択される。
【００５９】
また、ディスク記録が行われる標準記録モード及び判別されたディスクの種別に応じてフロントエンド処理回路２、ヘッドサーボ回路３、ライトストラテジ回路１５及びレーザー駆動回路１６はディスク記録に適合した動作を行うように設定が切り替えられる。
【００６０】
また、ホスト機器９から送信される記録コマンドにより要求された記録速度により記録動作を行うべくモータ制御回路１９はシステム制御マイコン１４により設定される記録速度に対応する回転速度でディスクを駆動するべくモータ駆動回路１８を制御する。
【００６１】
そして、ライトストラテジ回路１５は、設定される記録速度に対応して光学ヘッド１の第１レーザーダイオード１ａの発光出力をその記録速度に適合するあらかじめ決められた記録レベルに設定するべくレーザー駆動回路１６を制御する。
【００６２】
ディスクへの記録が開始される前に、ＡＴＩＰ情報を用いてディスクのＰＭＡが検索され、そのＰＭＡのデータを読み取り、セッションのクローズが行われていないことの確認を行うと共に、ディスク情報のデータを取得し、ディスク記録が可能か否か、及び記録を行えるアドレスを把握する。
【００６３】
また、設定された記録速度において、ディスクのＰＣＡに発光出力を段階的に変化させて試し書きが行われ、再生した際の誤り率を最少とするべく光学ヘッド１の発光出力が最適記録レベルに設定される。
【００６４】
このようなディスク記録の準備が完了した状態で、ホスト機器９から記録を要求するコマンド及びデータがインタフェース３０を介して送信されると、そのコマンド及びデータがインタフェース７を介して光ディスク装置側に受信され、記録が要求されたデータがメモリコントローラ１３の制御の基にＲＡＭ１２に書き込まれる。
【００６５】
ＲＡＭ１２に書き込まれたデータの備蓄量がエンコード処理を開始するデータ容量に達すると、メモリコントローラ１３の制御によりＲＡＭ１２からデータが読み出され、このデータがＣＤ用エンコーダ１０に入力される。システム制御マイコン１４の制御の基にＣＤ用エンコーダ１０が動作し、ＣＤ用エンコーダ１０は前記データをエンコード処理し、ＣＤ規格のデータフォーマットに則ったデータ構造のＣＤデータを生成する。
【００６６】
このＣＤデータはライトストラテジ回路１５に供給され、ライトストラテジ回路１５は記録ディスクに応じてＣＤ−ＲあるいはＣＤ−ＲＷの記録特性を考慮し、ＰＣＡにおける試し書きにより設定された最適記録レベルでディスク記録が行えるようにＣＤデータに基づく記録パルスを発生する。これにより光学ヘッド１の第１レーザーダイオード１ａが駆動され、記録パルスに応じてディスクに前記ＣＤデータに基づく記録マークが形成されてディスクに記録データが記録される。
【００６７】
次に、ＣＤ−Ｒ及びＣＤ−ＲＷの各ディスクにＤＶＤのデータフォーマットに対応したデータを記録する高効率記録モードの記録動作について説明する。
【００６８】
図４のフローチャートに示す処理により高効率記録モードによる記録が可能と判断された場合、ホスト機器９により高効率記録モードによる記録を行う設定が可能となる。
【００６９】
ホスト機器９により高効率記録モードによる記録の設定を行うと、更に、ディスクに記録するデータの種類に応じて記録形態をＣＤ及びＤＶＤ規格の任意の一方に基づいて行われるようにホスト機器９を設定する。
【００７０】
データの種類がビデオＣＤやＣＤ−ＤＡ等のＣＤコンテンツの場合、記録系選択手段３１によりＣＤ系記録機能３２が選択され、この場合、ホスト機器９を設定することにより記録系選択手段３１によりＣＤ系記録機能３２が実行される状態となる。
【００７１】
一方、データの種類がＤＶＤビデオやＤＶＤオーディオ等のＤＶＤコンテンツの場合、記録系選択手段３１によりＤＶＤ系記録機能３３が選択され、この場合、ホスト機器９を設定することにより記録系選択手段３１によりＤＶＤ系記録機能３３が実行される状態となる。
【００７２】
ＣＤ系記録機能３２が選択された場合、ホスト機器９によるディスク記録に係わる制御処理形態がＣＤ規格に則って行われるようになり、ホスト機器９は光ディスク装置を制御する制御コマンドの発生やコマンド動作手順がＣＤ規格に則ったものとなる。
【００７３】
一方、ＤＶＤ系記録機能３３が選択された場合、ホスト機器９によるディスク記録に係わる制御処理形態がＤＶＤ規格に則って行われるようになり、ホスト機器９は光ディスク装置を制御する制御コマンドの発生や動作手順がＤＶＤ規格に則ったものとなる。
【００７４】
その為、ディスクに記録されるデータの記録形態は、ホスト機器９により設定される記録形態に応じて記録セッション、トラックのモードや配置構造が選択的にＣＤ規格、あるいはＤＶＤ規格に則って指定されるようになる。
【００７５】
図５は、高効率記録モードによる記録の設定を行う際のフローチャートである。前述した説明と重なる部分も含めて、この図５を用いて記録設定の手順を説明する。
【００７６】
まず、高効率記録モードによりディスク記録が可能か否かが判断される（ステップｋ）。
【００７７】
ディスクは、高効率記録モードによる記録を可能とするべく記録に先立ってディスクフォーマットを行った際にディスクのＰＭＡの領域全てが特定データ「０」によってパディングされるので、このＰＭＡの領域のデータの書き込み状態を検出して高効率記録モードによる記録が可能か否かが判断される。
【００７８】
この判断で記録不可と判断された場合は、標準記録モードによるディスク記録処理に移行する（ステップｌ）。
【００７９】
高効率記録モードによる記録が可能と判断された場合、ホスト機器９による記録形態の設定待ちの状態になり（ステップｍ）、記録形態の設定が行われると、次に、設定された記録形態がＤＶＤか否かが判断される（ステップｎ）。
【００８０】
設定された記録形態がＤＶＤと判断されると、ＤＶＤに則っていることを示すＤＶＤ記録形態指定データが記録形態指定データ生成手段２１により生成され、この指定データがディスクのリードインエリアに記録される準備状態になる（ステップｏ）。
【００８１】
一方、設定された記録形態がＣＤと判断されると、ＣＤに則っていることを示すＣＤ記録形態指定データが記録形態指定データ生成手段２１により生成され、この指定データがディスクのＰＭＡデータの１部としてリードインエリアに記録される準備状態になる（ステップｐ）。
【００８２】
その後、ホスト機器９からの記録命令を待機する状態になり（ステップｑ）、記録命令があると、設定した記録形態に則ってディスク記録が行われる。そして、ディスクへの記録が終了される際に記録形態を示す記録形態指定データはディスクの他のＰＭＡデータとしてリードインエリアに記録される（ステップｒ）。
【００８３】
ところで、高効率記録モードによりディスク記録を行う際の各回路の動作は以下の通りである。
【００８４】
ホスト機器９から記録コマンドが送信され、光ディスク装置に高効率記録モードによるディスクへの記録が要求されると、その要求に応じて記録用ＣＤのディスクフォーマットに対応してディスク記録を実行する体制が整えられるべく、システム制御マイコン１４により各回路が高効率記録モードのディスク記録を行う状態に切り替えられ、ＤＶＤ用エンコーダ１１を使用する記録信号処理系が選択される。
【００８５】
また、ディスク記録が行われる高効率記録モード及び判別されたディスクの種別に応じてフロントエンド処理回路２、ヘッドサーボ回路３、ライトストラテジ回路１５及びレーザー駆動回路１６はディスク記録に適合した動作を行うように設定が切り替えられる。
【００８６】
また、標準記録モードと同様に、要求された記録速度により記録動作を行うべくモータ制御回路１９はシステム制御マイコン１４により設定される記録速度に対応する回転速度でディスクを駆動するべくモータ駆動回路１８を制御し、そして、ライトストラテジ回路１５は、設定される記録速度に対応して光学ヘッド１の第１レーザーダイオード１ａの発光出力をその記録速度に適合するあらかじめ決められた記録レベルに設定するべくレーザー駆動回路１６を制御する。
【００８７】
ところで、高効率記録モードに対応するディスクフォーマットでは図３に示す如く、ＰＭＡが記録用ＣＤのディスクフォーマットにおけるリードインエリアに位置するので、この位置を検索してＰＭＡデータを読み取り、標準記録モードと同様に、セッションのクローズが行われていないことの確認を行うと共に、ディスク情報のデータを取得し、ディスク記録が可能か否か、及び記録を行えるアドレスを把握する。
【００８８】
また、設定された記録速度において、高効率記録モードのディスクフォーマットに対応させてディスクのＰＣＡに発光出力を段階的に変化させて試し書きが行われ、再生した際の誤り率を最少とするべく光学ヘッド１の発光出力が最適記録レベルに設定される。
【００８９】
この高効率記録モードの場合、本願出願人が先に出願した特開２００２−５６６１７号に示すように、ＡＴＩＰのアドレスに基づいて記録密度倍の実記録アドレスを算出し、この実記録アドレスに基づいて単位ごとにデータを記録して単位期間当たりの記録密度を上げることが行われる。この場合、記録密度が標準密度のあらかじめ設定されるｎ倍（ｎ＞１）とすると、実記録アドレスはＡＴＩＰのアドレスのｎ倍に対応する。
【００９０】
このようなディスク記録の準備が完了した状態で、ホスト機器９から記録を要求するコマンド及びデータが送信されると、そのコマンド及びデータがインタフェース７を介して受信され、記録が要求されたデータがＲＡＭ１２に書き込まれる。
【００９１】
ところで、高効率記録モードによる記録を行う場合、ディスクに記録されるデータの記録形態をＣＤ及びＤＶＤのいずれに設定するかの選択が行われ、この選択に応じてホスト機器９によるディスク記録に係わる制御処理形態がＣＤの記録形態に則ったものとなるのかＤＶＤの記録形態に則ったものとなるのか設定される。
【００９２】
その為、ホスト機器９は選択された記録形態に則った動作手順により作動し、制御コマンドを発生する。
【００９３】
ホスト機器９から送信され、ＲＡＭ１２にデータが書き込まれ、ＲＡＭ１２のデータ備蓄量がエンコード処理を開始するデータ容量に達すると、ＲＡＭ１２からデータが読み出され、ＤＶＤ用エンコーダ１１はこのデータをエンコード処理し、ＤＶＤ規格のデータフォーマットに則ったデータ構造のＤＶＤデータを生成する。
【００９４】
このＤＶＤデータはライトストラテジ回路１５に供給され、ライトストラテジ回路１５は記録ディスクに応じてＣＤ−ＲあるいはＣＤ−ＲＷの記録特性を考慮し、ＰＣＡにおける試し書きにより設定された最適記録レベルでディスク記録が行えるようにＤＶＤデータに基づく記録パルスを発生する。これにより光学ヘッド１の第１レーザーダイオード１ａが駆動され、記録パルスに応じてディスクに前記ＤＶＤデータに基づく記録マークが形成されてディスクに記録データが記録される。
【００９５】
ここで、ＤＶＤ規格のデータフォーマットはＣＤ規格のデータフォーマットに比べ冗長度が低く、これらのデータフォーマットの冗長度の違いからＤＶＤ規格のデータフォーマットはＣＤ規格のデータフォーマットに対してフォーマット効率が１．４９倍となる。
【００９６】
また、高効率記録モードの場合、先に述べた如く、ディスクに記録される記録データの実記録アドレスがＡＴＩＰのアドレスに比べてｎ倍（ｎ＞１）になされ、同一トラックピッチとしながらディスクに記録される記録データの線記録密度の向上が図られている。
【００９７】
この場合、ＣＤに適合する７８０ｎｍの波長のレーザービームを使用していることから大幅な線記録密度の向上は図れないが、ＣＤ記録用の安価な光学ヘッドを用いることが出来、また、ＣＤに比べてフォーマット効率の向上が図られているので、線記録密度の向上をＣＤの１．３５倍とすると、フォーマット効率の１．４９倍と合わされて１．３５×１．４９＝２．０１倍と高効率記録モードは標準記録モードの約２倍の記録密度で記録が行える。
【００９８】
ところで、高効率記録モードにおいて、ホスト機器９によるディスク記録に係わる制御処理形態の設定に応じてプログラムエリアに記録される記録データは、ＣＤ規格、あるいはＤＶＤ規格に則った記録形態となる。
【００９９】
その為、ディスクへはＣＤコンテンツのデータの場合はＣＤ規格に則った記録形態により記録され、ＤＶＤコンテンツのデータの場合はＤＶＤ規格に則った記録形態により記録される。
【０１００】
そして、リードインエリアには、記録された記録形態に対応した記録形態指定データがＰＭＡデータの１つとして記録される。
【０１０１】
次に、ディスク再生について説明する。
【０１０２】
ホスト機器９から送信される再生コマンドよりディスク再生が要求されると、システム制御マイコン１４により各回路がディスク再生を行う状態に切り替えられ、この際、ディスク装着時のディスク判別によって判別されたディスク種別に対応したディスク再生の体制を整えるべくフロントエンド処理回路２、ヘッドサーボ回路３及びレーザー駆動回路１６は再生する種類のディスクに適合した動作を行うように設定が切り替えられると共に、光学ヘッド１の使用するレーザーダイオード及び使用するデコーダが切り替えられる。
【０１０３】
ディスク判別により装着されたディスクが再生専用ＣＤであると判断された場合、レーザー駆動回路１６により光学ヘッド１の第１レーザーダイオード１ａがディスクの種別に対応した再生に適した発光出力に設定されて駆動され、光学ヘッド１によりディスクＤの読み取りが行われる。
【０１０４】
このディスクＤからの読み取り信号はフロントエンド処理回路２によりＣＤに適した信号処理が行われ、ＲＦ信号を２値化してＣＤデータを生成する。このＣＤデータはメモリコントローラ１３による制御でＲＡＭ１２に記憶され、ＲＡＭ１２に記憶されたＣＤデータはエラー訂正を行う単位（３２ｋバイト）ごとにＣＤ用デコーダ５によりデコード処理される。
【０１０５】
一方、フロントエンド処理回路２により生成されるフォーカスエラー信号及びトラッキングエラー信号はＣＤに適した処理により生成されてヘッドサーボ回路３に供給される。
【０１０６】
ＣＤ用デコーダ５によりデコード処理されたＣＤデータは、ＣＤ規格のデータフォーマットに対応して復調されてホスト機器９の要求データとなる。
【０１０７】
次に、装着されたディスクがＤＶＤであると判断された場合について説明する。
【０１０８】
この場合、レーザー駆動回路１６により光学ヘッド１の第２レーザーダイオード１ｂがディスクの種別に対応した再生に適した発光出力に設定されて駆動され、光学ヘッド１によりディスクＤの読み取りが行われる。
【０１０９】
このディスクＤからの読み取り信号はフロントエンド処理回路２によりＤＶＤに適した信号処理が行われ、ＲＦ信号を２値化してＤＶＤデータを生成する。このＤＶＤデータはメモリコントローラ１５による制御でＲＡＭ１２に記憶され、ＲＡＭ１２に記憶されたＤＶＤデータはエラー訂正を行う単位（３２ｋバイト）ごとにＤＶＤ用デコーダ６によりデコード処理される。
【０１１０】
一方、フロントエンド処理回路２により生成されるフォーカスエラー信号及びトラッキングエラー信号はＤＶＤに適した処理により生成されてヘッドサーボ回路３に供給される。
【０１１１】
ＤＶＤ用デコーダ６に供給されたＤＶＤデータは、このＤＶＤ用デコーダ６によりＤＶＤ規格のデータフォーマットに対応するデコード処理により復調されてホスト機器９の要求データとなる。
【０１１２】
このデータは必要に応じてＲＡＭ１２に一時記憶された後、インタフェース７を介して接続端子８に接続されるホスト機器９に供給される。
【０１１３】
次に、装着されたディスクが記録用ＣＤディスクと判断された場合について説明する。
【０１１４】
記録用ＣＤディスクと判断された場合、その後、図６のフローチャートに示す処理により再生動作の制御が行われる。
【０１１５】
まず、高効率記録モードによる記録が行われたディスクか否かが判断される（ステップＡ）。この判断は、ＣＤ−Ｒ／ＲＷのディスクフォーマットのＰＭＡの領域、すなわち高効率記録モードのフォーマットエリアにおけるデータの記録状態を検出して行われる。
【０１１６】
高効率記録モードによる記録が行われたディスクでないと判断されると、標準記録モードに対応するディスク再生処理に移行される（ステップＢ）。
【０１１７】
この場合、レーザー駆動回路１６により光学ヘッド１の第１レーザーダイオード１ａの発光出力が記録用ＣＤに対応して設定され、それ以外の回路動作は再生専用ＣＤであると判断された場合と同様の信号処理形態となる。
【０１１８】
高効率記録モードによる記録が行われたディスクと判断された場合、リードイン領域のＰＭＡデータから記録形態指定データを読み取り（ステップＣ）、記録形態判定手段２２によりこの記録形態指定データから記録形態がＣＤ形態か否かを判定する（ステップＤ）。
【０１１９】
記録形態がＣＤ形態であると判定されると、記録形態判定手段２２によりＣＤ形態を示す報知信号がホスト機器９に送信され（ステップＥ）、ホスト機器９はＣＤ規格の記録形態に対応して再生系選択手段３４によりＣＤ系再生機能３５が作動し、ＣＤ系再生処理が実行される状態になる（ステップＦ）。
【０１２０】
その為、ホスト機器９によるディスク再生に係わる制御処理形態がＣＤ規格に則って行われるようになり、ホスト機器９に転送されたデータがＣＤ規格のデータフォーマットに基づいて処理される。
【０１２１】
記録形態がＤＶＤ形態であると判定されると、記録形態判定手段２２によりＤＶＤ形態を示す報知信号がホスト機器９に送信され（ステップＧ）、ホスト機器９はＤＶＤ規格の記録形態に対応して再生系選択手段３４によりＤＶＤ系再生機能３６が作動し、ＤＶＤ系再生処理が実行される状態になる（ステップＨ）。
【０１２２】
その為、ホスト機器９によるディスク再生に係わる制御処理形態がＤＶＤ規格に則って行われるようになり、ホスト機器９に転送されたデータがＤＶＤ規格のデータフォーマットに基づいて処理される。
【０１２３】
このようにホスト機器９による再生系処理は記録形態に対応して設定される。
【０１２４】
一方、光ディスク装置は、高効率記録モードのディスクフォーマットに対応した手順でディスクＤの読み取りが行われる。
【０１２５】
光学ヘッド１は、レーザー駆動回路１６により第１レーザーダイオード１ａがディスクの種別に対応した再生に適した発光出力に設定されて駆動される。
【０１２６】
光学ヘッド１によりディスクＤから読み取られる読み取り信号はフロントエンド処理回路２によりＤＶＤに適した信号処理が行われ、ＲＦ信号を２値化してＤＶＤデータを生成する。このＤＶＤデータはメモリコントローラ１３による制御でＲＡＭ１２に記憶され、ＲＡＭ１２に記憶されたＤＶＤデータはエラー訂正を行う単位（３２ｋバイト）ごとにＤＶＤ用デコーダ６によりデコード処理される。
【０１２７】
一方、フロントエンド処理回路２により生成されるフォーカスエラー信号及びトラッキングエラー信号は記録用ＣＤに適した処理により生成されてヘッドサーボ回路３に供給される。
【０１２８】
ＤＶＤ用デコーダ６に供給されたＤＶＤデータは、このＤＶＤ用デコーダ６によりＤＶＤ規格のデータフォーマットに対応するデコード処理により復調されてホスト機器９の要求データとなる。
【０１２９】
このデータは必要に応じてＲＡＭ１２に一時記憶された後、インタフェース７を介してホスト機器９に供給される。
【０１３０】
ここで、ホスト機器９は記録形態判定手段２２により判定された記録形態に応じた再生機能が作動し、記録形態に基づいた再生処理が実行されるので、ホスト機器９に転送されたデータは記録形態がＣＤの場合はＣＤに対応し、ＤＶＤの場合はＤＶＤに対応して正しく再生処理される。
【０１３１】
ところで、高効率記録モードによる記録が行われた記録用ＣＤディスクが既存の記録用ＣＤ規格に対応するＣＤ−Ｒ／ＲＷドライブに装着された場合においては、ディスク装着時にＡＴＩＰ信号を検出し、記録用ＣＤディスクと判断されると、ＰＭＡの取得を行うが、この際ＰＭＡのデータが満杯であって取得されるデータの判読が行えないので、図４の破線に示されるステップｊにように、異常ディスクとしてエラー処理される。
【０１３２】
尚、図１において、ＣＤ用デコーダ５、ＤＶＤ用デコーダ６、ＣＤ用エンコーダ１０及びＤＶＤ用エンコーダ１１は説明の便宜上別ブロックにて示されているが、一般にこれら全ての回路が組み込まれたＬＳＩを用いて構成される。
【０１３３】
【発明の効果】
以上の如く、本発明は、所定の第１の規格のディスクフォーマットに対応する記録用ディスクに、前記規格よりフォーマット効率の高い第２の規格のデータフォーマットに則って第１及び第２の規格のいずれに対応する記録形態のデータに対しても高効率記録が行えると共に、高効率記録されたディスクに記録されたデータが第１及び第２の規格にいずれに対応する記録形態であってもホスト機器が正しく再生処理を行える光ディスク装置を提供することが出来る。
【０１３４】
特に、ディスクに記録する記録データを選択的に第１及び第２の規格の一方に則った記録形態に基づかせているので、既存のホスト機器からの記録命令体系を用いて第１及び第２の規格のいずれの記録形態に対応するデータに則って高効率記録が行えると共に、既存のホスト機器からの再生命令体系を用いて高効率記録されたディスクに記録されたデータを正しく再生出来る。
【０１３５】
また、記録データの記録データが第１及び第２の規格のいずれに基づくものかを示す記録形態指定データをディスクに記録するようにしているので、記録形態を確実に識別できる。
【０１３６】
更に、リードインエリアに記録形態指定データを記録しているので、第１及び第２の規格のいずれに則った記録形態のデータが高効率記録されたディスクであるかをディスク装着時に確実に確認できる。
【図面の簡単な説明】
【図１】本発明に係る光ディスク装置の一実施例を示す回路ブロック図である。
【図２】ＣＤ−Ｒ／ＲＷのディスクフォーマットを説明する説明図である。
【図３】高効率記録モードのディスクフォーマットを説明する説明図である。
【図４】図１に示す光ディスク装置の使用ディスクの判定方法を説明するフローチャートである。
【図５】高効率記録モードによる記録の設定を行う際のフローチャートである。
【図６】再生動作の制御手順を示すフローチャートである。
【符号の説明】
１　　　　　光学ヘッド
１ａ　　　　第１レーザーダイオード
１ｂ　　　　第２レーザーダイオード
２　　　　　フロントエンド処理回路
５　　　　　ＣＤ用デコーダ（第１再生系信号処理回路）
６　　　　　ＤＶＤ用デコーダ（第２再生系信号処理回路）
９　　　　　ホスト機器
１０　　　　　ＣＤ用エンコーダ（第１記録系信号処理回路）
１１　　　　　ＤＶＤ用エンコーダ（第２記録系信号処理回路）
１２　　　　　ＲＡＭ
１３　　　　　メモリコントローラ
１４　　　　　システム制御マイコン
１５　　　　　ライトストラテジ回路
２０　　　　　ディスク判定手段
２１　　　　　記録形態指定データ生成手段
２２　　　　　記録形態判定手段
【図１】
2004139708.tif 000003
【図２】
2004139708.tif 000004
【図３】
2004139708.tif 000005
【図４】
2004139708.tif 000006
【図５】
2004139708.tif 000007
【図６】
2004139708.tif 000008